(57)【要約】【課題】  互いに対面するラップ部の間隔を狭めて圧縮効率を高めることができると共に、加工時間を短縮して生産性を高める。【解決手段】  固定スクロール１のラップ部３の外周面３Ｂには渦巻方向に間隔をもって複数の最接近部８を設けると共に、隣合う最接近部８の間を平坦面８Ａを用いてつなぐ。また、旋回スクロール１１のラップ部１３の外周面１３Ｂにも渦巻方向に間隔をもって複数の最接近部１４を設けると共に、隣合う最接近部１４の間を平坦面１４Ａを用いてつなぐ。これにより、ラップ部３，１３の外周面３Ｂ，１３Ｂを多角形状に形成することができ、ラップ部３，１３間の間隔を狭めることができると共に、形状を簡略化して加工時間を短縮することができる。【選択図】        図２
2008163844.tif 000002
【特許請求の範囲】
【請求項１】
鏡板に内径側から外径側に向け渦巻状に巻回されたラップ部が軸方向に立設された一方のスクロールと、該一方のスクロールに対向して設けられ鏡板に該一方のスクロールのラップ部と重なり合って複数の圧縮室を画成するために内径側から外径側に向け渦巻状に巻回されたラップ部が軸方向に立設された他方のスクロールとを備えてなるスクロール式流体機械において、
少なくとも前記一方のスクロールのラップ部の外周面には、他方のスクロールのラップ部の内周面と接触または最接近する最接近部を巻回方向に間隔をもって複数設け、
該隣合う最接近部の間は、平坦面または凸状曲面を用いてつなぐ構成とし、
該平坦面または凸状曲面は前記最接近部よりも他方のスクロールに対して離間していることを特徴とするスクロール式流体機械。
【請求項２】
前記他方のスクロールのラップ部の内周面には、前記一方のスクロールのラップ部の外周面に設けられた最接近部と接触または最接近する平坦状、凹湾曲状または凸湾曲状の最接近面を巻回方向に間隔をもって複数設ける構成としてなる請求項１に記載のスクロール式流体機械。
【請求項３】
前記一方のスクロールのラップ部の外周面と前記他方のスクロールのラップ部の内周面とのうち少なくともいずれか一方には、前記最接近部よりも軟質な材料を用いて膜状に形成された軟質被膜を設ける構成としてなる請求項１または２に記載のスクロール式流体機械。
【請求項４】
前記各最接近部は、巻回方向の間隔寸法を内径側で狭く外径側で広くなるように形成する構成としてなる請求項１，２または３に記載のスクロール式流体機械。
【請求項５】
前記各最接近部は、前記ラップ部の内径側から外径側に亘り等しい角度間隔をもって形成する構成としてなる請求項１，２，３または４に記載のスクロール式流体機械。
【請求項６】
前記各最接近部は、前記鏡板に立設されたラップ部のうち当該鏡板から離れた軸方向の一部にのみ形成してなる請求項１，２，３，４または５に記載のスクロール式流体機械。
【請求項７】
前記各最接近部は前記ラップ部のうち巻回方向の内径側のみに形成し、前記ラップ部の外径側にはインボリュート曲線に従ったインボリュート曲面部を設けてなる請求項１，２，３，４，５または６に記載のスクロール式流体機械。
【発明の詳細な説明】
【技術分野】
【０００１】
本発明は、例えば空気圧縮機、真空ポンプ等に用いて好適なスクロール式流体機械に関する。
【背景技術】
【０００２】
一般に、スクロール式流体機械は、固定スクロールと該固定スクロールに対面して設けられた旋回スクロールとを含んで構成されている。また、固定スクロールと旋回スクロールとは、円板状に形成された鏡板と、該鏡板の内径側から外径側に向け渦巻状に巻回するように該鏡板に軸方向に立設されたラップ部とをそれぞれ備えている。これにより、固定スクロールと旋回スクロールとは、互いのラップ部を重ね合わせることによって複数の圧縮室を画成している。
【０００３】
そして、スクロール式流体機械は、駆動軸によって旋回スクロールを固定スクロールに対し一定の旋回半径をもって旋回運動させることにより、固定スクロールの外径側に設けた吸込口から気体を吸込み、各圧縮室内で順次圧縮し、この圧縮流体を固定スクロールの内径側に設けた吐出口から外部に向けて吐出することができる。
【０００４】
また、スクロール式流体機械には、各ラップ部の周面に複数の突起を形成することにより、各ラップ部間の隙間を小さくして圧縮室の密閉性を高め、圧縮効率を向上するようにしたものが知られている（例えば、特許文献１，２参照）。このとき、複数の突起は、ラップ部の周面に巻回方向（渦巻方向）に間隔をもって設けられると共に、周囲に比べてラップ部の周面から径方向に突出して形成されている。
【０００５】
【特許文献１】特開２００４−１３８０５６号公報
【特許文献２】特開２００４−２９３４８７号公報
【発明の開示】
【発明が解決しようとする課題】
【０００６】
ところで、上述した従来技術によるスクロール式流体機械は、ラップ部の周面に軸方向に延びる複数本の突起を形成することにより、対面するラップ部間から漏れ出る圧縮流体を少なくし、圧縮室の密閉性を高めている。
【０００７】
しかし、従来技術では、隣合う突起間に径方向に窪んだ凹部が形成される。このとき、突起が相手方のスクロールのラップ部に接触するものの、凹部は相手方のスクロールのラップ部には接触しない。このため、この凹部に溜まった空気は圧縮されず、相手方のラップ部の周面が通過した後に低圧側に向けて漏れることになり、圧縮効率が悪いという問題がある。
【０００８】
また、曲面からなるラップ部の周面に突起を設けるから、例えばエンドミル等の加工工具を突起に合わせて径方向に往復動させる必要があり、加工誤差が生じ易い傾向がある。また、加工工程が複雑になるから、加工時間が長く、生産性が低いという問題もある。
【０００９】
本発明は上述した従来技術の問題に鑑みなされたもので、本発明の目的は、互いに対面するラップ部の間隔を狭めて圧縮効率を高めることができると共に、加工時間を短縮して生産性を高めることができるようにしたスクロール式流体機械を提供することにある。
【課題を解決するための手段】
【００１０】
本発明によるスクロール式流体機械は、鏡板に内径側から外径側に向け渦巻状に巻回されたラップ部が軸方向に立設された一方のスクロールと、該一方のスクロールに対向して設けられ鏡板に該一方のスクロールのラップ部と重なり合って複数の圧縮室を画成するために内径側から外径側に向け渦巻状に巻回されたラップ部が軸方向に立設された他方のスクロールとを備えている。
【００１１】
そして、上述した課題を解決するために、請求項１による発明が採用する構成の特徴は、少なくとも前記一方のスクロールのラップ部の外周面には、他方のスクロールのラップ部の内周面と接触または最接近する最接近部を巻回方向に間隔をもって複数設け、該隣合う最接近部の間は、平坦面または凸状曲面を用いてつなぐ構成とし、該平坦面または凸状曲面は前記最接近部よりも他方のスクロールに対して離間していることにある。
【００１２】
請求項２の発明では、前記他方のスクロールのラップ部の内周面には、前記一方のスクロールのラップ部の外周面に設けられた最接近部と接触または最接近する平坦状、凹湾曲状または凸湾曲状の最接近面を巻回方向に間隔をもって複数設ける構成としている。
【００１３】
請求項３の発明では、前記一方のスクロールのラップ部の外周面と前記他方のスクロールのラップ部の内周面とのうち少なくともいずれか一方には、前記最接近部よりも軟質な材料を用いて膜状に形成された軟質被膜を設ける構成としている。
【００１４】
請求項４の発明では、前記各最接近部は、巻回方向の間隔寸法を内径側で狭く外径側で広くなるように形成する構成としている。
【００１５】
請求項５の発明では、前記各最接近部は、前記ラップ部の内径側から外径側に亘り等しい角度間隔をもって形成する構成としている。
【００１６】
請求項６の発明では、前記各最接近部は、前記鏡板に立設されたラップ部のうち当該鏡板から離れた軸方向の一部にのみ形成する構成としている。
【００１７】
請求項７の発明では、前記各最接近部は前記ラップ部のうち巻回方向の内径側のみに形成し、前記ラップ部の外径側にはインボリュート曲線に従ったインボリュート曲面部を設ける構成としている。
【発明の効果】
【００１８】
請求項１の発明によれば、隣合う最接近部の間を平坦面または凸状曲面を用いてつなぐ構成としたから、従来技術のように隣合う突起の間に凹部が形成されることがない。このため、互いに対面するラップ部の間隔を狭めることができ、ラップ部の間に滞留する流体を減らして圧縮効率を高めることができる。
【００１９】
また、隣合う最接近部の間を平坦面または凸状曲面を用いてつなぐ構成としたから、最接近部の設けられたラップ部の外周面の横断面を多角形状に形成することができる。このため、従来技術のように曲面からなるラップ部の周面に突起を設けた場合に比べて、ラップ部の形状を簡略化することができる。この結果、例えばエンドミル等の工具を用いてラップ部を切削加工するときでも、エンドミルを径方向に往復動させる必要がないのに加え、工具の方向転換回数を少なくすることができる。このため、往復動に伴い加工機のバックラッシュの影響を受け難いから、加工誤差を低減でき、ばらつきの少ない高精度のラップ部を加工することができる。また、従来技術のように突起を設けた場合に比べて、加工工具の移動距離が短くなると共に、加工方向の変更回数を低減することができるから、ラップ部の加工時間を短縮することができ、生産性を向上することができる。さらに、多角形状の頂点座標を与えるだけで簡単に加工プログラムが組めると共に、頂点座標も容易に変更することができるから、例えば機械の仕様等に合わせてラップ部の形状を容易に変更することができる。
【００２０】
また、最接近部は、対面するラップ部の周面に接触したときに、容易につぶれたり、摩耗することができるから、何回も接触することなくラップ部の周面に馴染ませることができる。これにより、動力損失を軽減し、また損傷、騒音、かじり等の発生を防止でき、耐久性、信頼性を向上することができる。
【００２１】
さらに、ラップ部の隣合う最接近部間の角度を大きくすると耐かじり性が向上するが、圧縮性能が低下する。一方、ラップ部の隣合う最接近部間の角度を小さくすると耐かじり性が低下するが、圧縮性能が向上する。このため、このような相反するバランスを最適化することで、求める特性の機械を製造することができる。
【００２２】
請求項２の発明によれば、他方のスクロールのラップ部の内周面には、一方のスクロールのラップ部の外周面に設けられた最接近部と接触または最接近する平坦状、凹湾曲状または凸湾曲状の最接近面を巻回方向に間隔をもって複数設けたから、他方のスクロールのラップ部の内周面の横断面を多角形状に形成することができる。このため、ラップ部の形状を簡略化することができるから、ラップ部の加工時間をさらに短縮することができ、生産性を向上することができる。
【００２３】
請求項３の発明によれば、互いに対面するラップ部の内周面と外周面とのうち少なくともいずれか一方には軟質被膜を設ける構成としたから、軟質被膜は、各最接近部と相手方のラップ部との間に介在できる。このため、例えば機械の寸法誤差、組付誤差等によって最接近部が相手方のラップ部に接近し過ぎた場合には、軟質部材が最接近部または相手方のラップ部に接触する。この場合、軟質被膜は、最接近部または相手方のラップ部との接触により容易に変形して馴染むことができるので、これらの間でかじり、損傷等が生じたり、動力損失、騒音等が増大するのを防止することができる。
【００２４】
また、軟質被膜は最接近部とラップ部との間に挟まれた部位だけが変形するから、圧縮室の閉込み位置で各スクロールのラップ部間に形成される隙間の寸法を小さくすることができる。このため、圧縮室の密閉性や圧縮効率を高めることができる。さらに、例えば機械の寸法誤差や組付誤差等によって最接近部の移動範囲がばらつく場合でも、この最接近部の移動範囲のばらつきを軟質被膜によって吸収することができる。このため、スクロールの加工、組立等を最低限の精度で行うことができるから、スクロール式流体機械を効率よく製造することができる。
【００２５】
請求項４の発明によれば、各最接近部は、巻回方向の間隔寸法Ｐを内径側で狭く外径側で広くなるように形成する構成としているので、ラップ部の曲率半径が内径側で小さくなるときに、この曲率半径に沿って複数の最接近部を狭い間隔で配置することができる。このため、半径方向で対面するラップ部間の隙間を小さくして圧縮室の密閉性を高めることができ、圧縮性能を向上することができる。
【００２６】
請求項５の発明によれば、各最接近部は、ラップ部の内径側から外径側に亘りほぼ等しい角度間隔をもって形成する構成としているので、各最接近部の巻回方向の間隔寸法を、内径側で狭く外径側で広くすることができる。この場合、ラップ部は、内径側で曲率半径が小さくなるが、この曲率半径に沿って複数の最接近部を狭い間隔で配置することができるから、半径方向で対面するラップ部間の隙間を小さくして圧縮室の密閉性を高めることができ、圧縮性能を向上することができる。
【００２７】
請求項６の発明によれば、各最接近部は、ラップ部のうち鏡板から離れた軸方向の一部にのみ形成する構成としたので、例えば一方のスクロールが旋回運動するときには、一方のスクロールの最接近部を各圧縮室の閉込み位置で他方のスクロールのラップ部に最接近または接触させることができ、最接近部により各圧縮室の密閉性を高めることができる。
【００２８】
また、最接近部はラップ部のうち鏡板から離れた軸方向の一部にのみ形成したので、最接近部の軸方向長さ寸法を短くすることができ、最接近部によって生じる異音を小さくすることができる。また、最接近部をラップ部の軸方向に対して小さくすることができるから、固定スクロールのラップ部と旋回スクロールのラップ部との間の平均隙間を小さくすることができ、圧縮効率を高めることができる。そして、ラップ部内の温度を低減でき、チップシール等の寿命を延長することができる。また、ラップ部の熱倒れが顕著に生じる歯先部分に最接近部を形成した場合には、熱倒れによるかじりを最接近部によって防止することができる。
【００２９】
さらに、ラップ部の歯元側では、ラップ部の外周面と相手方のラップ部の内周面との間の隙間を、最接近部を設けないときの間隔寸法と同程度に設定することができるから、この位置でのラップ部の接触を防ぐことができ、信頼性を向上することができる。
【００３０】
請求項７の発明によれば、各最接近部はラップ部のうち巻回方向の内径側のみに形成し、ラップ部の外径側にはインボリュート曲面部を設けたので、例えばラップ部の最も外径側に画成される圧縮室の閉込み位置等では、各ラップ部の平滑な周面同士を最接近または接触させることができる。これにより、圧縮時の体積効率に対して影響が大きい外径側の圧縮室を良好にシールでき、圧縮性能を高めることができる。
【００３１】
特に、ラップ部の外周側では圧縮熱による温度上昇が少ないから、かじり現象が生じ難い。このため、ラップ部の外周側に設けたインボリュート曲面部では他方のラップ部との隙間寸法を小さくすることができる。これにより、各ラップ部の外径側で平滑な周面同士を確実に最接近または接触させることができ、ラップ部の内径側の最接近部によって発生した異音が外径側の吸込口等から外部に漏れるのを防ぐことができる。
【発明を実施するための最良の形態】
【００３２】
以下、本発明の実施の形態によるスクロール式流体機械としてスクロール式空気圧縮機を例に挙げ、添付図面を参照して詳細に説明する。
【００３３】
ここで、図１ないし図６は第１の実施の形態を示し、本実施の形態では、固定スクロールおよび旋回スクロールのラップ部の外周面に最接近部を設けた場合を例に挙げて述べる。
【００３４】
図１はスクロール式空気圧縮機の縦断面図を示し、この図１において、１はスクロール式空気圧縮機の固定スクロールで、該固定スクロール１は、筒状に形成されたケーシング（図示せず）の端部に取付けられている。また、固定スクロール１は、略円板状に形成され中心が後述する駆動軸９の軸線Ｏ1−Ｏ1と一致するように配設された鏡板２と、該鏡板２の表面２Ａに立設された渦巻状のラップ部３と、鏡板２の外径側からラップ部３を取囲むように軸方向に突出した筒部４と、該筒部４から径方向外側に拡開したフランジ部５とによって大略構成されている。
【００３５】
ここで、図２は図１に示すスクロール式空気圧縮機の横断面図で、ラップ部３は、この図２に示す如く、内径側（半径方向の内側）が巻始め端となり、外径側（半径方向の外側）が巻終り端となる渦巻状に形成されている。また、ラップ部３の内周面３Ａは、凹凸のない凹湾曲状の平滑面として形成されている。一方、ラップ部３の外周面３Ｂは、後述する複数の平坦面８Ａをつなぎ合わせた多角形状に形成されている。そして、ラップ部３は、図６に示すように、例えばエンドミル等の切削工具を用いて渦巻状に切削加工される。
【００３６】
また、固定スクロール１には、図１に示すように、鏡板２の外径側に位置して後述の圧縮室１５に空気を吸込む吸込口６が設けられ、鏡板２の中央には圧縮室１５で圧縮した空気を吐出する吐出口７が設けられている。
【００３７】
８，８，…はラップ部３の外周面３Ｂ側に設けられた複数の最接近部で、該各最接近部８は、図２、図３に示す如く、ラップ部３の巻回方向（長さ方向）に間隔をもって配置され、軸方向に延びて形成されている。このとき、隣合う最接近部８間の角度αは、例えば５度程度（α＝０．０８７［ｒａｄ］）に設定されている。
【００３８】
また、隣合う最接近部８の間は、平坦面８Ａを用いてつなぐ構成としている。これにより、ラップ部３の外周面３Ｂは横断面が多角形状に形成され、各最接近部８は、多角形状をなす外周面３Ｂの頂点（屈曲部位）にそれぞれ配置されている。そして、最接近部８は、相手方となる旋回スクロール１１のラップ部１３の内周面１３Ａに接触または最接近するものである。
【００３９】
なお、固定スクロール１のラップ部３と旋回スクロール１１のラップ部１３とが最接近する部位は、旋回スクロール１１の旋回運動に伴って変化し、ラップ部３，１３の巻終り端（外径側）から巻始め端（内径側）に向けて徐々に移動する。このため、最接近部８よりも平坦面８Ａが旋回スクロール１１のラップ部１３に最接近する状態もあり得る。しかし、最接近部８は、多角形状をなす外周面３Ｂの頂点部分を指すものである。このため、平坦面８Ａとラップ部１３とが最接近した状態の距離寸法に比べて、最接近部８とラップ部１３とが最接近した状態の距離寸法は、小さくなっている。即ち、平坦面８Ａは、最接近部８よりも旋回スクロール１１のラップ部１３の内周面１３Ａに対して離間している。
【００４０】
９はケーシングに回転可能に設けられた駆動軸で、該駆動軸９は、回転中心となる軸線Ｏ1−Ｏ1を有している。また、駆動軸９は、固定スクロール１側の先端側が偏心して延びるクランク軸９Ａとなり、該クランク軸９Ａの中心線となる軸線Ｏ2−Ｏ2は、駆動軸９の軸線Ｏ1−Ｏ1に対して旋回半径εだけ偏心している。そして、駆動軸９のクランク軸９Ａには、旋回軸受１０を介して後述の旋回スクロール１１が回転可能に取付けられている。
【００４１】
１１は固定スクロール１と対向して駆動軸９に設けられた旋回スクロールで、該旋回スクロール１１は、軸線Ｏ2−Ｏ2を中心にして円板状に形成された鏡板１２と、該鏡板１２の表面１２Ａから軸方向に立設された渦巻状のラップ部１３とによって大略構成されている。
【００４２】
そして、旋回スクロール１１は、ラップ部１３が固定スクロール１のラップ部３に対し、例えば１８０度だけずらして重なり合うように配設されている。これにより、両者のラップ部３，１３間には後述する複数の圧縮室１５が画成される。そして、スクロール式空気圧縮機を運転すると、外周側の圧縮室１５は、吸込口６から空気を吸込み、この空気を旋回スクロール１１が旋回運動する間に内径側に移動しつつ順次圧縮し、最後に吐出口７から外部に圧縮空気を吐出する。
【００４３】
ここで、旋回スクロール１１を構成するラップ部１３は、鏡板１２の表面１２Ａに軸方向（軸線Ｏ1−Ｏ1の方向）に立設されている。また、ラップ部１３は、内径側が巻始め端となり、外径側が巻終り端となるｎ巻からなる渦巻状に形成されている。さらに、ラップ部１３の内周面１３Ａは、凹凸のない凹湾曲状の平滑面として形成されている。一方、ラップ部１３の外周面１３Ｂは、後述する複数の平坦面１４Ａをつなぎ合わせた多角形状に形成されている。そして、ラップ部１３は、図６に示すように、例えばエンドミル等の切削工具を用いて渦巻状に切削加工される。
【００４４】
１４，１４，…はラップ部１３の外周面１３Ｂ側に設けられた複数の最接近部で、該各最接近部１４は、図２、図３に示す如く、最接近部８とほぼ同様に、ラップ部１３の巻回方向（長さ方向）に間隔をもって配置され、軸方向に延びて形成されている。このとき、隣合う最接近部１４間の角度αは、例えば５度程度（α＝０．０８７［ｒａｄ］）に設定されている。
【００４５】
また、隣合う最接近部１４の間は、平坦面１４Ａを用いてつなぐ構成としている。これにより、ラップ部１３の外周面１３Ｂは横断面が多角形状に形成され、各最接近部１４は、多角形状をなす外周面１３Ｂの頂点（屈曲部位）にそれぞれ配置されている。そして、最接近部１４は、相手方となる固定スクロール１のラップ部３の内周面３Ａに接触または最接近するものである。
【００４６】
なお、固定スクロール１のラップ部３と旋回スクロール１１のラップ部１３とが最接近する部位は、旋回スクロール１１の旋回運動に伴って変化する。このため、最接近部１４よりも平坦面１４Ａが固定スクロール１のラップ部３に最接近する状態もあり得る。しかし、最接近部１４は、多角形状をなす外周面１３Ｂの頂点部分を指すものである。このため、平坦面１４Ａとラップ部３とが最接近した状態の距離寸法に比べて、最接近部１４とラップ部３とが最接近した状態の距離寸法は、小さくなっている。即ち、平坦面１４Ａは、最接近部１４よりも固定スクロール１のラップ部３の内周面３Ａに対して離間している。
【００４７】
ここで、旋回スクロール１１のラップ部１３の外周面１３Ｂに設けられた最接近部１４の詳しい配置関係について説明する。
【００４８】
最接近部１４は、ラップ部１３の長さ方向となる巻回方向の間隔寸法Ｐが内径側で狭く、外径側で広くなるように形成している。ここで、各最接近部１４の配置に関して詳しく述べると、旋回スクロール１１には、図３に示す如く、ラップ部１３のインボリュート（伸開線）を描くために、その中心点Ｏ2（軸線Ｏ2−Ｏ2の位置）を中心とした縮閉線半径ａの縮閉線Ｃが求められる。なお、縮閉線半径ａは、旋回半径εと旋回スクロール１１のラップ部１３の板厚寸法とによって定まる当該旋回スクロール１１に固有の値で、インボリュート曲線では知られた事項である。
【００４９】
そして、前記縮閉線Ｃに接して延びる無数の接線のうち、任意の接線をＬ1とし、この接線Ｌ1から角度αずつずらした位置に設けた他の接線をＬ2，Ｌ3，…とすると、前記最接近部１４は、前記各接線Ｌ1，Ｌ2，…上に配置されている。
【００５０】
ここで、本実施の形態では、各接線Ｌ1，Ｌ2，…間の角度αは５度前後に設定されている。これにより、隣合う最接近部１４の巻回方向の間隔寸法Ｐは、ラップ部１３の内径側となる１巻目で狭く、外径側となるｎ巻目で広くなっている。
【００５１】
このように、隣合う最接近部１４の間隔寸法Ｐを、内径側で狭く（小さく）することにより、対面するラップ部３の曲率半径が小さく曲がりが急な部位に対しても、最接近部１４をラップ部３の内周面３Ａに所定の隙間をもって配置させることができる。
【００５２】
さらに、最接近部１４は、対面する固定スクロール１側のラップ部３の内周面３Ａに接近したときに、ラップ部３の内周面３Ａとの間の隙間寸法Ｓ2が、下記数１に示すように、最接近部８が対面する旋回スクロール１１側のラップ部１３の内周面１３Ａに接近したときの最接近部８と内周面１３Ａとの間の隙間寸法Ｓ1よりも大きな値に設定されている。
【００５３】
【数１】
2008163844.tif 000003
【００５４】
このように、最接近部１４とラップ部３との間の隙間寸法Ｓ2は、最接近部８とラップ部１３との間の隙間寸法Ｓ1よりも大きくしているから、各ラップ部３，１３間で接触が生じた場合には、最接近部１４とラップ部３の外周面３Ｂとが接触するよりも前に、固定スクロール１のラップ部３の外周面３Ｂに設けられた最接近部８を旋回スクロール１１のラップ部１３の外周面１３Ｂに接触させることができる。
【００５５】
そして、固定スクロール１のラップ部３の最接近部８が旋回スクロール１１のラップ部１３に先に接触すると、この接触部位を支点として旋回スクロール１１に自転力の方向と同じ方向に回転させようとする力が作用する。これにより、旋回スクロール１１は自転力の方向に押動されることになるから、例えば旋回スクロール１１とケーシングとの間に設けられる自転防止機構（図示せず）等のがたつきを無くすことができる。
【００５６】
一方、固定スクロール１のラップ部３の外周面３Ｂに設けられた各最接近部８は、前述した最接近部１４の配置関係等に関する条件と同様の条件となっているため、説明を省略するものとする。
【００５７】
なお、最接近部８，１４は、ラップ部３，１３の巻回方向の全長に設ける構成としたが、例えばラップ部３，１３の巻回方向の全長のうち、最も内径側となる巻始め端から半巻き程度の部位を除いた外周面３Ｂ，１３Ｂに形成してもよい。このラップ部３，１３の外周面３Ｂ，１３Ｂで巻始め端から半巻き程度の部位は、曲率半径が最も小さく、また熱による寸法変化も小さいことから、各最接近部８，１４を設けなくても十分に圧縮室１５を密閉できるためであり、この部位は平滑面として形成される。
【００５８】
本実施の形態によるスクロール式空気圧縮機は、上述したような構成を有するもので、次に、このスクロール式空気圧縮機の動作について説明する。
【００５９】
まず、電動モータ等の駆動源（図示せず）により駆動軸９を回転駆動すると、旋回スクロール１１は、自転防止機構によって自転が防止された状態で、駆動軸９の軸線Ｏ1−Ｏ1を中心として旋回半径εの旋回運動を行ない、固定スクロール１のラップ部３と旋回スクロール１１のラップ部１３間に画成される圧縮室１５は連続的に縮小する。これにより、固定スクロール１の吸込口６から吸込んだ空気は各圧縮室１５で順次圧縮しつつ、固定スクロール１の吐出口７から圧縮空気として外部のタンク（図示せず）に向け吐出することができる。
【００６０】
また、旋回スクロール１１が固定スクロール１に対して旋回運動するときには、最接近部８，１４とラップ部１３，３の内周面１３Ａ，３Ａとが最接近するか、または両者が接触した状態となり、これらの最接近（接触）部位は各圧縮室１５内に空気を閉込める閉込み位置となる。そして、最接近部８は、各圧縮室１５の閉込み位置でラップ部３の外周面３Ｂとラップ部１３の内周面１３Ａとの間の隙間を減少させる。また、最接近部１４は、各圧縮室１５の閉込み位置でラップ部１３の外周面１３Ｂとラップ部３の内周面３Ａとの間の隙間を減少させる。これにより、最接近部８，１４は各圧縮室１５の密閉性を高めることができる。
【００６１】
然るに、本実施の形態では、各スクロール１，１１のラップ部３，１３の外周面３Ｂ，１３Ｂには巻回方向に間隔をもって複数の最接近部８，１４を設け、隣合う最接近部８，１４の間を平坦面８Ａ，１４Ａでつなぐことによって外周面３Ｂ，１３Ｂを多角形状に形成する構成としている。このとき、隣合う最接近部８，１４の間を平坦面８Ａ，１４Ａを用いてつなぐ構成としたから、従来技術のように隣合う突起の間に径方向に窪んだ凹部が形成されることがない。このため、互いに対面するラップ部３，１３の間隔を狭めることができ、ラップ部３，１３の間に滞留する空気を減らして圧縮効率を高めることができる。
【００６２】
また、隣合う最接近部８，１４の間を平坦面８Ａ，１４Ａを用いてつなぐ構成としたから、ラップ部３，１３の外周面３Ｂ，１３Ｂの横断面を多角形状に形成することができる。このため、従来技術のように曲面からなるラップ部の周面に突起を設けた場合に比べて、ラップ部３，１３の形状を簡略化することができる。この結果、例えばエンドミル等の工具を用いてラップ部３，１３を切削加工するときでも、エンドミルを突起に沿って径方向に往復動させる必要がないのに加え、工具の方向転換回数を少なくすることができる。このため、一般に加工機には往復動作時のバックラッシュに伴って５μｍ程度の加工誤差が生じるのに対して、本実施の形態では、このようなバックラッシュの影響を受け難く、加工誤差を低減することができ、ばらつきの少ない高精度のラップ部３，１３を加工することができる。
【００６３】
また、従来技術のように突起を設けた場合に比べて、エンドミル等の工具の移動距離が短くなると共に、工具の方向転換回数を低減することができるから、ラップ部３，１３の加工時間を短縮することができ、生産性を向上することができる。さらに、多角形状の頂点座標を与えるだけで簡単に加工プログラムが組めると共に、頂点座標も容易に変更することができるから、例えば圧縮機の仕様等に合わせてラップ部３，１３の形状を容易に変更することができる。
【００６４】
また、ラップ部３の最接近部８は相手方のラップ部１３の内周面１３Ａに対して線接触に近い状態で面接触するから、この接触によって最接近部８を容易につぶし、また摩耗させることができる。このため、ラップ部３の最接近部８は、何回も接触することなくラップ部１３の内周面１３Ａに馴染むことができる。同様に、ラップ部１３の最接近部１４も、相手方のラップ部３の内周面３Ａに容易に馴染むことができる。これにより、動力損失を軽減し、また損傷、騒音、かじり等の発生を防止でき、耐久性、信頼性を向上することができる。
【００６５】
さらに、ラップ部３，１３の隣合う最接近部８，１４間の角度αを大きくすると、最接近部８，１４の内角（隣合う２つの平坦面８Ａ，１４Ａのなす角）がより鋭角になるので、耐かじり性が向上するが、平坦面８Ａと外周面１３Ａとの隙間および平坦面１４Ａと外周面３Ａとの隙間が増大するため、圧縮性能が低下する。一方、ラップ部３，１３の隣合う最接近部８，１４間の角度αを小さくすると、最接近部８，１４の内角がより鈍角になるので、耐かじり性が低下するが、平坦面８Ａと外周面１３Ａとの隙間および平坦面１４Ａと外周面３Ａとの隙間が減少するため、圧縮性能が向上する。このため、例えば角度αを５度程度（α＝０．０８７［ｒａｄ］）に設定することによって、このような相反するバランスを最適化することができ、耐かじり性と圧縮性能のバランスがとれた圧縮機を製造することができる。
【００６６】
一方、隣合う最接近部８，１４は、５度程度の角度αの間隔をもって配設することにより、ラップ部３，１３の巻回方向の間隔寸法Ｐが内径側で狭く、外径側で広くなるように形成している。これにより、ラップ部３，１３の曲率半径が小さく曲がりが急な部位に対しても、巻回方向の間隔寸法Ｐが狭くなった最接近部８，１４を相手方のラップ部１３，３の内周面１３Ａ，３Ａに沿うように接近して配置することができ、圧縮室１５の密閉性を高めて、圧縮性能を向上することができる。
【００６７】
さらに、固定スクロール１のラップ部３の最接近部８と旋回スクロール１１のラップ部１３の内周面１３Ａとの間の隙間寸法Ｓ1と、旋回スクロール１１のラップ部１３の最接近部１４と固定スクロール１のラップ部３の内周面３Ａとの間の隙間寸法Ｓ2とは、数１に示すようにＳ1＜Ｓ2の関係をもって設定している。これにより、各ラップ部３，１３間で接触が生じた場合には、固定スクロール１のラップ部３の外周面３Ｂに設けられた最接近部８と旋回スクロール１１のラップ部１３の内周面１３Ａとを先に接触させることができる。このため、接触部位を支点として旋回スクロール１１を自転力の方向と同じ方向に回転させることができ、自転防止機構（図示せず）等のがたつきを防止して、圧縮性能を向上することができる。
【００６８】
なお、前記第１の実施の形態では、隣合う最接近部８，１４の間を平坦面８Ａ，１４Ａを用いてつなぐ構成とした。しかし、本発明はこれに限らず、例えば図７に示す第１の変形例のように、隣合う最接近部８，１４の間を凸状曲面８Ａ′，１４Ａ′を用いてつなぐ構成としてもよい。この場合、凸状曲面８Ａ′，１４Ａ′は、最接近部８，１４よりも先に相手方のラップ部１３，３の内周面１３Ａ，３Ａに接触しないようにするために、ラップ部３，１３の曲率よりも小さい曲率をもって形成する。
【００６９】
また、前記第１の実施の形態では、固定スクロール１のラップ部３および旋回スクロール１１のラップ部１３のいずれにも最接近部８，１４を設ける構成としたが、固定スクロールと旋回スクロールとのうちいずれか一方にのみ最接近部を設ける構成としてもよい。
【００７０】
また、最接近部８，１４は、例えばその先端部に巻回方向に僅かな幅（例えば数μｍ程度）をもった平坦面を備える構成としてもよい。
【００７１】
さらに、前記第１の実施の形態では、ラップ部３，１３の内径側から外径側に亘って隣合う最接近部８，１４は等しい角度αの間隔をもって形成した。しかし、本発明はこれに限らず、ラップ部の内径側と外径側とで隣合う最接近部を異なる角度間隔をもって形成してもよい。
【００７２】
次に、図８および図９は本発明による第２の実施の形態を示し、本実施の形態の特徴は、各スクロールのラップ部の内周面には平坦状の最接近面を巻回方向に間隔をもって複数設ける構成としたことにある。なお、本実施の形態では、前記第１の実施の形態と同一の構成要素に同一の符号を付し、その説明を省略するものとする。
【００７３】
２１はスクロール式空気圧縮機の固定スクロールで、該固定スクロール２１は、第１の実施の形態とほぼ同様に、鏡板２２、ラップ部２３、筒部２４、フランジ部（図示せず）等により構成されている。そして、ラップ部２３は、内周面２３Ａと外周面２３Ｂとを有する渦巻状に形成されている。
【００７４】
２５，２５，…はラップ部２３の外周面２３Ｂ側に設けられた複数の最接近部で、該各最接近部２５は、第１の実施の形態による最接近部８とほぼ同様に、ラップ部２３の巻回方向（長さ方向）に角度αの間隔をもって配置され、軸方向に延びて形成されている。また、隣合う最接近部２５の間は、平坦面２５Ａを用いてつなぐ構成としている。これにより、ラップ部２３の外周面２３Ｂは横断面が多角形状に形成されている。そして、最接近部２５は、相手方となる旋回スクロール２７のラップ部２８の内周面２８Ａに接触または最接近するものである。
【００７５】
２６，２６，…はラップ部２３の内周面２３Ａ側に設けられた平坦状の複数の最接近面で、該各最接近面２６は、巻回方向（長さ方向）に例えば最接近部２９と同じ角度αの間隔をもって配置されている。また、隣合う最接近面２６の間は、旋回スクロール２７のラップ部２８から離間する方向（径方向外側）に凹陥した窪み部２６Ａを用いてつなぐ構成としている。これにより、ラップ部２３の内周面２３Ａは横断面が多角形状に形成されている。また、隣合う窪み部２６Ａは、相手方の最接近部２９に対して半分位相をずらした位置に配置されている。これにより、最接近面２６の巻回方向の中間部位は、相手方のラップ部２８の外周面２８Ｂに設けられた最接近部２９に対して接触または最接近するものである。なお、窪み部２６Ａは、エンドミル等による切削加工に伴って工具の半径と同程度の半径をもった曲面形状に形成されている。
【００７６】
２７は固定スクロール２１と対向して配置された旋回スクロールで、該旋回スクロール２７は、第１の実施の形態とほぼ同様に、鏡板（図示せず）に立設された渦巻状のラップ部２８を有し、該ラップ部２８は、内周面２８Ａと外周面２８Ｂとを有している。
【００７７】
２９，２９，…はラップ部２８の外周面２８Ｂ側に設けられた複数の最接近部で、該各最接近部２９は、第１の実施の形態による最接近部１４とほぼ同様に、ラップ部２８の巻回方向（長さ方向）に角度αの間隔をもって配置され、軸方向に延びて形成されている。また、隣合う最接近部２９の間は、平坦面２９Ａを用いてつなぐ構成としている。
【００７８】
３０，３０，…はラップ部２８の内周面２８Ａ側に設けられた平坦状の複数の最接近面で、該各最接近面３０は、巻回方向（長さ方向）に例えば最接近部２５と同じ角度αの間隔をもって配置されている。また、隣合う最接近面３０の間は、固定スクロール２１のラップ部２３から離間する方向に凹陥した窪み部３０Ａを用いてつなぐ構成としている。また、隣合う窪み部３０Ａは、相手方の最接近部２５に対して半分位相をずらした位置に配置されている。
【００７９】
これにより、ラップ部２８の内周面２８Ａおよび外周面２８Ｂは、いずれも横断面が多角形状に形成されている。そして、最接近部２９は最接近面２６に接触または最接近し、最接近面３０は最接近部２５に接触または最接近するものである。
【００８０】
かくして、このように構成される本実施の形態でも、第１の実施の形態とほぼ同様の作用効果を得ることができる。そして、特に本実施の形態では、ラップ部２３，２８の内周面２３Ａ，２８Ａには平坦状の最接近面２６，３０を巻回方向に間隔をもって複数設けたから、内周面２３Ａ，２８Ａをインボリュート曲線に沿った曲面に形成した場合に比べて、最接近部２５，２９と最接近面３０，２６とが、より線接触に近い状態で面接触する。即ち、隣合う最接近部２５，２９間の角度αを第１の実施の形態と同じ値に設定した場合でも、第１の実施の形態に比べて、さらに耐かじり性を向上することができる。
【００８１】
また、ラップ部２３，２８の内周面２３Ａ，２８Ａには平坦状の最接近面２６，３０を巻回方向に間隔をもって複数設けたから、各スクロール２１，２７のラップ部２３，２８の外周面２３Ｂ，２８Ｂに加えて、内周面２３Ａ，２８Ａの横断面も多角形状に形成することができる。このため、ラップ部２３，２８の形状を簡略化することができるから、ラップ部２３，２８の加工時間をさらに短縮することができ、生産性を向上することができる。
【００８２】
なお、前記第２の実施の形態では、最接近面２６，３０は平坦状の平面によって形成した。しかし、本発明はこれに限らず、例えば図１０中に一点鎖線で示すように、最接近面２６′，３０′を凹湾曲状の曲面（凹状曲面）を用いて形成してもよい。この場合、最接近面２６′，３０′は、その中間部位だけが相手方のラップ部２８，２３の外周面２８Ｂ，２３Ｂに接触するように、その曲率が各ラップ部２３，２８のインボリュート曲線の曲率よりも小さい値に設定する。これにより、最接近面２６，３０を平面によって形成した場合に比べて、耐かじり性が低下するが、ラップ部２３，２８間の間隔が狭くなり、圧縮性能が向上する。
一方、図１０中に二点鎖線で示すように、最接近面２６″，３０″を凸湾曲状の曲面（凸状曲面）を用いて形成してもよい。この場合、最接近面２６，３０を平面によって形成した場合に比べて、圧縮性能が低下するが、耐かじり性が向上する。
【００８３】
また、前記第２の実施の形態では、固定スクロール１のラップ部３および旋回スクロール１１のラップ部１３のいずれにも最接近面２６，３０を設ける構成としたが、固定スクロールと旋回スクロールとのうちいずれか一方にのみ最接近面を設ける構成としてもよい。
【００８４】
次に、図１１は本発明による第３の実施の形態を示し、本実施の形態の特徴は、各スクロールのラップ部の外周面に軟質被膜を設ける構成としたことにある。なお、本実施の形態では、前記第１の実施の形態と同一の構成要素に同一の符号を付し、その説明を省略するものとする。
【００８５】
３１は固定スクロール１のラップ部３の外周面３Ｂに設けられた軟質被膜で、該軟質被膜３１は、摺動性が良好で耐熱性を有する樹脂材料（例えば、フッ素系樹脂等）または非樹脂材料（例えば、グラファイト、二硫化モリブデン、窒化硼素等）を用いて形成され、その膜厚は例えば６０μｍ程度に設定されている。そして、軟質被膜３１は、例えばディッピング、スプレー等の塗布手段を用いてラップ部３に塗布、固着される。これにより、軟質被膜３１は、ラップ部３の外周面３Ｂに設けられた最接近部８および平坦面８Ａを覆っている。
【００８６】
３２は旋回スクロール１１のラップ部１３の外周面１３Ｂに設けられた軟質被膜で、該軟質被膜３２は、軟質被膜３１とほぼ同様に、例えばフッ素系の樹脂材料またはモリブデン系等の非樹脂材料を用いて例えば６０μｍ程度の膜厚をもって形成され、スプレー等の塗布手段を用いてラップ部１３に塗布、固着されている。これにより、軟質被膜３２は、ラップ部１３の外周面１３Ｂに設けられた最接近部１４および平坦面１４Ａを覆っている。
【００８７】
そして、軟質被膜３１，３２は、例えばスクロール１，１１や最接近部８，１４の寸法誤差、組付誤差等によって最接近部８，１４が相手方のラップ部１３，３に接近し過ぎたとしても、最接近部８，１４と相手方のラップ部１３，３とが直接接触するのを防止する。
【００８８】
さらに、軟質被膜３１，３２の膜厚は、多角形状の頂点に配置された最接近部８，１４のみを接触させる寸法とし、最接近部８，１４とラップ部１３，３の内周面１３Ａ，３Ａとの間の隙間（ギャップ）を０〜マイナス（零以下）にすることで圧縮効率を全断熱効率で約１０％向上させることができる。実験の結果、隙間を４０μｍとした場合には、全断熱効率が５０％であるのに対し、隙間を０μｍとした場合には、全断熱効率が６０％となった。
【００８９】
また、このような接触が生じたときでも、軟質被膜３１，３２は、相手方のラップ部１３，３との接触によって容易に押し潰されたり、摩耗して変形でき、最接近部８，１４の移動範囲に馴染むことができる。
【００９０】
かくして、このように構成される本実施の形態でも、第１の実施の形態とほぼ同様の作用効果を得ることができる。そして、特に本実施の形態では、ラップ部３，１３の外周面３Ｂ，１３Ｂには軟質被膜３１，３２を設ける構成としたから、例えば機械の寸法誤差、組付誤差等によって最接近部８，１４が相手方のラップ部１３，３に接近し過ぎた場合には、軟質部材３１，３２が相手方のラップ部１３，３の内周面１３Ａ，３Ａに接触する。この場合、軟質被膜３１，３２は、相手方のラップ部１３，３との接触により容易に変形して馴染むことができるので、これらの間でかじり、損傷等が生じたり、動力損失、騒音等が増大するのを防止することができる。
【００９１】
そして、隣合う最接近部８，１４間の角度αを大きくしても、ラップ部３，１３間の最大ギャップを小さくすることができる。このため、角度αを例えば７．５度程度（α＝０．１３［ｒａｄ］）に設定して耐かじり性を向上させたときでも、圧縮性能を高い状態に保つことができる。この結果、耐かじり性および圧縮性能の両面を向上させることができる。
【００９２】
また、軟質被膜３１，３２は最接近部８，１４とラップ部との間に挟まれた部位だけが変形するから、圧縮室１５の閉込み位置で各スクロール１，１１のラップ部３，１３間に形成される隙間の寸法を小さくすることができる。このため、圧縮室１５の密閉性や圧縮効率を高めることができる。さらに、例えば機械の寸法誤差や組付誤差等によって最接近部８，１４の移動範囲がばらつく場合でも、この最接近部８，１４の移動範囲のばらつきを軟質被膜３１，３２によって吸収することができる。このため、スクロール１，１１の加工、組立等を最低限の精度で行うことができるから、圧縮機を効率よく製造することができる。
【００９３】
なお、前記第３の実施の形態では、ラップ部３，１３の外周面３Ｂ，１３Ｂにだけ軟質被膜３１，３２を設ける構成とした。しかし、本発明はこれに限らず、例えばラップ部３，１３の内周面３Ａ，１３Ａにだけ軟質被膜を設ける構成としてもよい。また、ラップ部３の内周面３Ａと外周面３Ｂとの両面に軟質被膜を設ける構成でもよく、ラップ部１３の内周面１３Ａと外周面１３Ｂとの両面に軟質被膜を設ける構成でもよく、ラップ部３，１３の内周面３Ａ，１３Ａと外周面３Ｂ，１３Ｂとの全ての面に軟質被膜を設ける構成としてもよい。
【００９４】
また、前記第３の実施の形態では、第１の実施の形態と同様のスクロール１，１１のラップ部３，１３に対して軟質被膜３１，３２を設ける構成としたが、例えば第２の実施の形態と同様なスクロールのラップ部に対して軟質被膜を設ける構成としてもよい。
【００９５】
次に、図１２ないし図１４は本発明による第４の実施の形態を示し、本実施の形態の特徴は、ラップ部の各最接近部を、鏡板から離れた軸方向の一部にのみ形成する構成としたことにある。なお、本実施の形態では、前記第１の実施の形態と同一の構成要素に同一の符号を付し、その説明を省略するものとする。
【００９６】
４１はスクロール式空気圧縮機の固定スクロールで、該固定スクロール４１は、図１２に示す如く、第１の実施の形態とほぼ同様に、略円板状の鏡板４２と、該鏡板４２の表面に軸方向に立設された渦巻状のラップ部４３と、フランジ部（図示せず）等とにより構成されている。
【００９７】
また、ラップ部４３の内周面４３Ａは凹凸のない平滑な湾曲面として形成され、ラップ部４３の外周面４３Ｂには後述の最接近部５１が設けられている。さらに、ラップ部４３の歯先には、図１３、図１４に示す如く、断面コ字状の凹溝４３Ｃが設けられ、該凹溝４３Ｃには、渦巻状のチップシール４４が取付けられている。そして、チップシール４４は、後述する旋回スクロール４７の鏡板４８の表面に弾性的に摺接し、圧縮空気の漏洩を防止している。
【００９８】
４５は固定スクロール４１のラップ部４３の外周面４３Ｂに設けられた複数の最接近部で、該各最接近部４５は、第１の実施の形態による最接近部８とほぼ同様に、ラップ部４３の巻回方向に間隔をもって配置され、軸方向に延びて形成されている。なお、軸方向に延びるとは、軸方向に対して平行に延びる構成（傾斜角０°）に限らず、例えば軸方向に対して±１０〜２０°斜めに傾斜して延びる構成も含むものである。
【００９９】
また、最接近部４５は、ラップ部４３の歯先から歯元に向けて軸方向の途中位置まで延び、ラップ部４３のうち鏡板４２から離れた軸方向の歯先側にのみ形成されている。一方、ラップ部４３の歯先側のうち隣合う最接近部４５の間は平坦面４５Ａによってつながれている。そして、ラップ部４３の外周面４３Ｂのうち歯元側に位置する部分（最接近部４５と平坦面４５Ａとを除いた部分）は、凹凸のない平滑な湾曲面として形成されている。さらに、ラップ部４３の外周面４３Ｂのうち歯元側に位置する部分は、最接近部４５と連続して延び、同一面を形成している。
【０１００】
４６は固定スクロール４１のラップ部４３の歯元側に設けられた段差部で、該段差部４６は、ラップ部４３の歯先側よりも太幅に形成され、内周面４３Ａが相手方となる旋回スクロール４７のラップ部４９の外周面４９Ｂに向けて突出している。そして、段差部４６は、後述するラップ部４９の最接近部５１と同程度の長さ寸法をもって軸方向に延び、最接近部５１と対向している。
【０１０１】
４７は固定スクロール４１と対向して設けられた旋回スクロールで、該旋回スクロール４７は、図１２、図１４に示す如く、第１の実施の形態とほぼ同様に、円板状の鏡板４８と、該鏡板４８の表面から軸方向に立設された渦巻状のラップ部４９とによって大略構成されている。
【０１０２】
ここで、ラップ部４９の内周面４９Ａは凹凸のない平滑な湾曲面として形成され、ラップ部４９の外周面４９Ｂには後述の最接近部５１が設けられている。さらに、ラップ部４９の歯先には断面コ字状の凹溝４９Ｃが設けられ、該凹溝４９Ｃにはチップシール５０が取付けられている。
【０１０３】
５１は旋回スクロール４７のラップ部４９の外周面４９Ｂに設けられた複数の最接近部で、該各最接近部５１は、第１の実施の形態による最接近部１４とほぼ同様に、ラップ部４９の巻回方向に間隔をもって配置され、軸方向に延びて形成されている。
【０１０４】
また、最接近部５１は、最接近部４５とほぼ同様に、ラップ部４９の歯先から歯元に向けて軸方向の途中位置まで延び、ラップ部４９のうち鏡板４８から離れた軸方向の歯先側にのみ形成されている。一方、ラップ部４９の歯先側のうち隣合う最接近部５１の間は平坦面５１Ａによってつながれている。そして、ラップ部４９の外周面４９Ｂのうち歯元側に位置する部分（最接近部５１と平坦面５１Ａとを除いた部分）は、凹凸のない平滑な湾曲面として形成されている。さらに、ラップ部４９の外周面４９Ｂのうち歯元側に位置する部分は、最接近部５１と連続して延び、同一面を形成している。
【０１０５】
５２は旋回スクロール４７のラップ部４９の歯元側に設けられた段差部で、該段差部５２は、ラップ部４３の段差部４６とほぼ同様にラップ部４９の歯先側よりも太幅に形成され、内周面４９Ａが相手方となる固定スクロール４１のラップ部４３の外周面４３Ｂに向けて突出している。そして、段差部５２は、ラップ部４９の最接近部４５と同程度の長さ寸法をもって軸方向に延び、最接近部４５と対向している。
【０１０６】
かくして、このように構成される本実施の形態でも、第１の実施の形態とほぼ同様の作用効果を得ることができる。そして、特に本実施の形態では、ラップ部４３，４９のうち鏡板４２，４８から離れた軸方向の一部にのみ最接近部４５，５１を形成したから、最接近部４５，５１の軸方向長さ寸法を短くすることができ、最接近部４５，５１によって生じる異音を小さくすることができる。
【０１０７】
また、最接近部４５，５１をラップ部４３，４９の軸方向に対して小さくすることができるから、固定スクロール４１のラップ部４３と旋回スクロール４７のラップ部４９との間の平均ラジアルギャップを小さくすることができ、圧縮効率を高めることができる。さらに、圧縮効率が高まると、ラップ部４３，４９内の温度を低減することができるから、チップシール４４，５０等の寿命を延長することができる。
【０１０８】
特に、本実施の形態では、最接近部４５，５１をラップ部４３，４９の歯先部分にのみ形成したから、ラップ部４３，４９の熱倒れが顕著に生じる歯先部分にのみ最接近部４５，５１を配置することができる。この結果、熱倒れによるかじりを防ぎつつ、最接近部４５，５１を相手方のラップ部４９，４３に最接近または接触させることができ、圧縮効率をさらに高めることができる。
【０１０９】
また、ラップ部４３，４９の歯元側には最接近部４５，５１を設けず、歯元側のラップ部４３，４９の外周面４３Ｂ，４９Ｂを、最接近部４５，５１と同一曲面として形成したので、歯元側での寸法管理を容易に行うことができる。
【０１１０】
なお、前記第４の実施の形態では、第１の実施の形態と同様に、ラップ部４３，４９の外周面４３Ｂ，４９Ｂに最接近部４５，５１を設けたスクロール４１，４７に対してラップ部４３，４９の歯先側にのみ最接近部４５，５１を設ける構成とした。しかし、本発明はこれに限らず、例えば第２，第３の実施の形態と同様なスクロールに対してラップ部の歯先側にのみ最接近部を設ける構成としてもよい。
【０１１１】
次に、図１５は本発明による第５の実施の形態を示し、本実施の形態の特徴は、ラップ部の外径側にインボリュート曲線に従ったインボリュート曲面部を設ける構成としたことにある。なお、本実施の形態では、前記第１の実施の形態と同一の構成要素に同一の符号を付し、その説明を省略するものとする。
【０１１２】
６１はスクロール式空気圧縮機の固定スクロールで、該固定スクロール６１は、第１の実施の形態とほぼ同様に、鏡板６２、ラップ部６３、筒部６４、フランジ部（図示せず）等により構成されている。そして、ラップ部６３は、内周面６３Ａと外周面６３Ｂとを有する渦巻状に形成されている。
【０１１３】
しかし、ラップ部６３の外周面６３Ｂには、軸方向の全長に亘って延びる複数の最接近部６５および平坦面６５Ａが設けられると共に、ラップ部６３の外径側（巻終り端側）には、最接近部６５を形成せず、インボリュート曲線に従ったインボリュート曲面部６３Ｃが設けられている。そして、インボリュート曲面部６３Ｃは、例えばラップ部６３の外径側端部から内径側に向けて略１巻分にわたる長さをもって延びると共に、ラップ部６３のうち外径側の圧縮室１５′，１５″の周壁となる部位に配置されている。
【０１１４】
６６は固定スクロール６１と対向して配置された旋回スクロールで、該旋回スクロール６６は、第１の実施の形態とほぼ同様に、鏡板（図示せず）に立設された渦巻状のラップ部６７を有し、該ラップ部６７は、内周面６７Ａと外周面６７Ｂとを有している。
【０１１５】
また、ラップ部６７の外周面６７Ｂには、軸方向の全長に亘って延びる最接近部６８および平坦面６８Ａが設けられると共に、ラップ部６７の外径側（巻終り端側）には、固定スクロール６１のラップ部６３とほぼ同様に、その外径側に位置して最接近部６８を形成せず、インボリュート曲線に従ったインボリュート曲面部６７Ｃが設けられている。そして、インボリュート曲面部６７Ｃは、例えばラップ部６７の外径側端部から内径側に向けて略１巻半にわたる長さをもって延びると共に、ラップ部６７のうち外径側の圧縮室１５′，１５″の周壁となる部位に配置されている。
【０１１６】
このように、本実施の形態では、ラップ部６３，６７のうち外径側の圧縮室１５′，１５″に面した部位にはインボリュート曲面部６３Ｃ，６７Ｃを配設している。このため、圧縮機の運転時には、外径側の圧縮室１５′，１５″の位置で固定スクロール６１のラップ部６３と旋回スクロール６６のラップ部６７とを滑らかに連続的に摺接させることができる。
【０１１７】
かくして、このように構成される本実施の形態でも、第１の実施の形態とほぼ同様の作用効果を得ることができる。そして、特に本実施の形態では、固定スクロール６１のラップ部６３のうち、外径側に位置する略１巻分の部位にインボリュート曲面部６３Ｃを設け、旋回スクロール６６のラップ部６７には、外径側の略１巻半の部位にインボリュート曲面部６７Ｃを設ける構成としたので、圧縮開始位置Ｓの位置における圧縮室１５′のシール性や、これと隣接する圧縮室１５″のシール性を良好に保持することができる。
【０１１８】
従って、圧縮時の体積効率に対して影響が大きい外径側の圧縮室１５′，１５″で空気を安定的に圧縮でき、圧縮性能を高めることができると共に、内径側の最接近部６５，６８等によって発生した異音が吸込口６を通じて外部に漏れるのを防ぐことができ、騒音を低減することができる。
【０１１９】
なお、前記第５の実施の形態では、第１の実施の形態と同様に、ラップ部６３，６７の外周面６３Ｂ，６７Ｂに最接近部６５，６８を設けたスクロール６１，６６に対してインボリュート曲面部６３Ｃ，６７Ｃを設ける構成とした。しかし、本発明はこれに限らず、例えば第２〜第４の実施の形態と同様なスクロールのラップ部に対してインボリュート曲面部を設ける構成としてもよい。
【０１２０】
また、前記各実施の形態では、ケーシングに固定された固定スクロール１，２１，４１，６１に対して旋回スクロール１１，２７，４７，６６を旋回動作させるスクロール式空気圧縮機を例に挙げて説明したが、本発明はこれに限るものではなく、例えば特開平９−１３３０８７号公報に示すように、互いに対向して配置された２つのスクロールをそれぞれ回転駆動する全系回転式スクロール流体機械等に適用してもよい。
【０１２１】
さらに、前記各実施の形態では、スクロール式流体機械としてスクロール式空気圧縮機に適用した場合を例に挙げて説明したが、本発明はこれに限らず、冷媒を圧縮する冷媒圧縮機等の他のスクロール式流体機械に適用してもよい。
【図面の簡単な説明】
【０１２２】
【図１】本発明の第１の実施の形態に適用されるスクロール式空気圧縮機を示す縦断面図である。
【図２】スクロール式空気圧縮機を図１中の矢示II−II方向からみた横断面図である。
【図３】図２中の固定スクロールのラップ部と旋回スクロールのラップ部とを拡大して示す要部拡大の横断面図である。
【図４】固定スクロールの鏡板、ラップ部および最接近部の一部を拡大して示す一部破断の外観斜視図である。
【図５】旋回スクロールのラップ部の最接近部を拡大して示す要部拡大の横断面図である。
【図６】エンドミルを用いてラップ部を加工する状態を示す横断面図である。
【図７】第１の変形例によるラップ部を示す横断面図である。
【図８】第２の実施の形態に適用されるスクロール式空気圧縮機を示す横断面図である。
【図９】固定スクロールと旋回スクロールのラップ部を図３と同様位置からみた要部拡大の横断面図である。
【図１０】第２の変形例によるラップ部を示す横断面図である。
【図１１】第３の実施の形態による固定スクロールと旋回スクロールのラップ部を図３と同様位置からみた要部拡大の横断面図である。
【図１２】第４の実施の形態による固定スクロールと旋回スクロールのラップ部を図３と同様位置からみた要部拡大の横断面図である。
【図１３】固定スクロールの鏡板、ラップ部および最接近部の一部を拡大して示す一部破断の外観斜視図である。
【図１４】固定スクロールと旋回スクロールのラップ部を図１２中の矢示XIV−XIV方向から拡大してみた要部拡大の縦断面図である。
【図１５】第５の実施の形態に適用されるスクロール式空気圧縮機を示す横断面図である。
【符号の説明】
【０１２３】
１，２１，４１，６１  固定スクロール
２，１２，２２，４２，４８，６２  鏡板
３，１３，２３，２８，４３，４９，６３，６７  ラップ部
３Ａ，１３Ａ，２３Ａ，２８Ａ，４３Ａ，４９Ａ，６３Ａ，６７Ａ  内周面
３Ｂ，１３Ｂ，２３Ｂ，２８Ｂ，４３Ｂ，４９Ｂ，６３Ｂ，６７Ｂ  外周面
８，１４，２５，２９，４５，５１，６５，６８  最接近部
８Ａ，１４Ａ，２５Ａ，２９Ａ，４５Ａ，５１Ａ，６５Ａ，６８Ａ  平坦面
８Ａ′，１４Ａ′  凸状曲面
９  駆動軸
１１，２７，４７，６６  旋回スクロール
２６，３０，２６′，３０′，２６″，３０″  最接近面
３１，３２  軟質被膜
【図１】
2008163844.tif 000004
【図２】
2008163844.tif 000005
【図３】
2008163844.tif 000006
【図４】
2008163844.tif 000007
【図５】
2008163844.tif 000008
【図６】
2008163844.tif 000009
【図７】
2008163844.tif 000010
【図８】
2008163844.tif 000011
【図９】
2008163844.tif 000012
【図１０】
2008163844.tif 000013
【図１１】
2008163844.tif 000014
【図１２】
2008163844.tif 000015
【図１３】
2008163844.tif 000016
【図１４】
2008163844.tif 000017
【図１５】
2008163844.tif 000018